(57)【要約】 【課題】集約管理装置の管理エリア外の基地局と自管理下にある基地局との間でＰＣＩ重複が発生した場合、ＰＣＩ重複を回避することができる無線通信システム、集約管理装置、および、そのＰＣＩ設定方法を提供する。【解決手段】端末５と基地局１０との間のＣＱＩデータを端末通信状態記憶テーブル２０２に記憶し、３時間以上継続してＣＱＩ平均値が所定の値未満だった場合、ＰＣＩ競合判定部２２２は、当該基地局１０でＰＣＩ競合の可能性有りと判定し、基地局制御部２３は、基地局パラメータテーブル２０４を参照して現在使用しているＰＣＩを別の適用可能なＰＣＩに変更し、新たなＰＣＩでのＣＱＩを５分間隔で３回測定し、変更前より改善されることを確認した場合、その新たなＰＣＩで運用する。【選択図】  図１
2014082604.tif 000002
【特許請求の範囲】
【請求項１】
集約管理装置が、携帯電話システムの基地局が端末との間の無線通信で用いるＰＣＩ番号を含む動作パラメータを記憶した基地局パラメータテーブルを備え、かつ、前記基地局が通信相手となる前記端末から送信された通信品質情報を通信網で接続された複数の前記基地局を介して収集し、収集した情報と前記基地局パラメータテーブルとを参照することにより各前記基地局の動作パラメータを制御する無線通信システムにおいて、
前記端末と通信し、集約管理装置へ自局の識別情報とＣＱＩ情報を含む前記通信品質情報とを前記通信網を介して通知する基地局と、
前記基地局から受信する前記通信品質情報のうちＣＱＩ情報を基地局制御手段へ通知する制御情報受信手段と、
前記各基地局の固有の識別情報とそれに対応して割り当てられる運用ＰＣＩと、前記各基地局の運用候補ＰＣＩとのリストを前記基地局パラメータテーブルに記憶する記憶手段と、
前記通知されたＣＱＩの平均値を基地局毎に算出し、その平均値が予め定めた基準値よりも低くなった基地局について、前記リストを参照して当該基地局の新たな運用ＰＣＩを前記運用候補のＰＣＩから探し出し、新たな運用ＰＣＩを前記通信網を介して当該基地局に通知して新たな運用ＰＣＩで前記端末と通信できる様にＰＣＩ変更の制御をする基地局制御手段とを備えた
集約管理装置とを具備することを特徴とする無線通信システム。
【請求項２】
前記集約装置の前記記憶手段は、
前記各基地局の隣接する基地局が前記基地局パラメータテーブルのリストに加えられていると共に、前記算出されたＣＱＩ情報に基づき、前記各基地局について接続中の端末数と、ＣＱＩ平均値と、および平均値が前記基準値を下回っている場合の継続時間とがリストされた端末通信状態記憶テーブルに記憶し、
前記基地局制御手段は、
前記平均値が予め定めた基準値よりも低くなった基地局について、前記端末通信状態記憶テーブルを参照して前記当該基地局の端末接続数を調べ、接続中の端末がある場合は更に、前記基地局パラメータテーブルを参照して隣接する基地局を探し出してその基地局の送信電力を上げる制御を行い、接続中の端末を隣接する基地局にハンドオーバさせた後に前記新しいＰＣＩに変更する制御を行うこと特徴とする請求項１記載の無線通信システム。
【請求項３】
前記ＣＱＩの平均値は３０で有ることを特徴とする請求項１又は２に記載の無線通信システム。
【請求項４】
前記基地局制御手段は、前記平均値が前記基準値未満である継続時間が第一の継続時間基準未満で有るときは、前記端末通信状態記憶テーブルにリストされた継続時間をリセットし、第一の継続時間基準を超えた場合、前記リストされた継続時間を加算修正し、継続時間が第１の継続時間基準よりも更に長い第２の継続基準時間を超えた場合に前記新しいＰＣＩに変更する制御を行うことを特徴とする請求項１又は２に記載の無線通信システム。
【請求項５】
前記基地局制御手段は、前記ＰＣＩの変更を行って当該基地局から新たなＣＱＩ情報を通知されるようになってから所定の間隔と受信回数で新しいＣＱＩ平均値を算出し、新しいＣＱＩ平均値がＰＣＩ変更前の平均値よりも良い場合は、新しいＰＣＩでの運用を続け、ＰＣＩ変更前と比べて改善されていない場合、ＰＣＩを変更前のＰＣＩに戻すと共に前記新たなＰＣＩを前記基地局パラメータテーブルにリストされた運用候補ＰＣＩから削除することを特徴とする請求項１、請求項２、又は請求項４のいずれか１つに記載の無線通信システム。
【請求項６】
集約管理装置が、携帯電話システムの基地局が端末との間の無線通信に用いるＰＣＩ番号を含む動作パラメータを記憶した基地局パラメータテーブルを備え、かつ、前記基地局が通信相手となる前記端末から送信された通信品質情報を通信網で接続された複数の前記基地局を介して収集し、前記収集した情報と前記基地局パラメータテーブルとを参照することにより各前記基地局の動作パラメータを制御する無線通信システムの集約管理装置において、
前記基地局から受信する前記通信品質情報の内のＣＱＩ情報を基地局制御手段へ通知する制御情報受信手段と、
前記各基地局の固有の識別情報とそれに対応して割り当てられる運用ＰＣＩと、前記各基地局の運用候補ＰＣＩとのリストを前記基地局パラメータテーブルに記憶する記憶手段と、
前記通知されたＣＱＩの平均値を基地局毎に算出し、その平均値が予め定めた基準値よりも低くなった基地局について、前記リストを参照して当該基地局の新たな運用ＰＣＩを前記運用候補のＰＣＩから探し出し、新たな運用ＰＣＩを前記通信網を介して当該基地局に通知してＰＣＩ変更の制御をする基地局制御手段とを備えた
ことを特徴とする無線通信システムの集約管理装置。
【請求項７】
制御情報受信手段と、記憶手段と、基地局制御手段とを備えた集約管理装置が、携帯電話システムの基地局が端末との間の無線通信に用いるＰＣＩ番号を含む動作パラメータを記憶した基地局パラメータテーブルを備え、かつ、前記基地局が通信相手となる前記端末から送信された通信品質情報を通信網で接続された複数の前記基地局を介して収集し、前記収集した情報と前記基地局パラメータテーブルとを参照することにより各前記基地局の動作パラメータを制御する無線通信システムの集約管理装置のＰＣＩ設定方法において、
前記制御情報受信手段は、
前記基地局から受信する前記通信品質情報の内のＣＱＩ情報を前記基地局制御手段へ通知し、
前記記憶手段は、
前記各基地局の固有の識別情報とそれに対応して割り当てられる運用ＰＣＩと、前記各基地局の運用候補ＰＣＩとのリストを前記基地局パラメータテーブルにして記憶し、
前記基地局制御手段は、
前記通知されたＣＱＩの平均値を前記基地局毎に算出し、その平均値が予め定めた基準値よりも低くなった基地局について、前記リストを参照して当該基地局の新たな運用ＰＣＩを前記運用候補のＰＣＩから探し出し、新たな運用ＰＣＩを前記通信網を介して当該基地局に通知してＰＣＩ変更の制御をする
ことを特徴とする無線通信システムの集約管理装置のＰＣＩ設定方法。
【発明の詳細な説明】
【技術分野】
【０００１】
本発明の実施形態は、移動通信を行う無線通信システム、集約管理装置及びその基地のＰＣＩ設定方法に関する。
【背景技術】
【０００２】
携帯電話基地局のカバーエリヤが半径数百ｍから数ｋｍのものはマクロセルと呼ばれ、携帯電話システムの運用が開始された。携帯電話の普及が進むに連れ、ビル等建造物内部や地下などの基地局からの電波が届きにくい場所でも端末との通信を確保するためにカバーエリヤが半径１００ｍ以下の例えば、マイクロセルと呼ばれるような小出力の基地局の導入が始まった。
【０００３】
また、携帯電話システムの利用者が増え、通信速度も高くなり周波数資源が逼迫してきた。この有限な資源を有効活用するため、端末密度が高い場所にマイクロセルのような小さいカバーエリヤを持つ、例えばフェムトセル基地局と呼ばれる小型基地局を多数設置することにより収容端末数と通信速度の高速化が図られている。
【０００４】
この様な多数の基地局を設置する場合には、隣接する基地局等と干渉しない基地局の動作設定をする必要がある。その設定の１つにセル毎に割り当てられる識別情報ＰＣＩ（物理セルＩＤ：Physical Cell Identification Data）が重複しない基地局配置に調整するＰＣＩ設定がある。ＰＣＩは、端末が基地局を識別するために使用する識別番号（ＩＤ）である。同じＰＣＩを持つ基地局が隣接していると端末側からは基地局の区別がつかないため、ハンドオーバ処理等に問題が発生する。また、隣接する基地局でＰＣＩが同じ場合は両基地局からの電波が合成されて干渉が生じる問題が発生してしまう。
【０００５】
設定可能なＰＣＩの数は、上限があるので干渉が起きない様に離れた基地局で繰り返して使用される。
【０００６】
マクロセル基地局のみの間で運用する場合は、基地局数も限られており計画的に基地局が配置出来るので問題発生を容易に防ぐことが出来た。しかし、端末数の増加と通信速度の高速化が進むことにより屋内のような小エリアで、多数の基地局が設置され、同じＰＣＩが繰り返し使用されるようになった結果、置局管理が難しくなってきた。そこで屋内や、特定商業設備等のある限定されたエリアにＣＣＣ（集約管理装置：Cell Cluster Controller）を設置して、そのエリアにある基地局の周波数、ＰＣＩ、位置情報といったセルの隣接関係の情報を集約管理することが考えられている。ＣＣＣは、管理下の基地局の位置情報から隣接する基地局がわかるため、周波数やＰＣＩ等の基地局パラメータの競合を防ぐことができ、新規に基地局を追加した場合においてもＣＣＣの情報を用いて効率的に基地局パラメータを決定できる。また、競合が発生した場合でもＣＣＣ管理の下で基地局パラメータを調整することができる。
【０００７】
図６は、従来のＣＣＣを用いたＰＣＩ設定方法の概念を説明する無線システムの構成図である。  
図６において、大きなビル（室内）内に基地局１００（＃Ａ、＃Ｂ）が設置され携帯電話の端末５を収容している。各基地局１００は、ＣＣＣ２００との間で、制御モニタ信号を送受信し、端末５との間の通信状況もモニタされている。各基地局１００のＰＣＩはＣＣＣ２００によって割り付けられるが、仮に同じＰＣＩ、例えば１０１を基地局１００（＃Ａ、＃Ｂ）を使用することになってもＣＣＣ２００が競合を避ける様に基地局２００（＃Ｂ）にＰＣＩを１０１から１０２に変更割付を行う。
【０００８】
ところが、例えば、ビルの新設や、新たなマクロセル基地局の設置、変更など、ＣＣＣ２００の管理外のエリアに新しい基地局１００（＃Ｃ）が追加される場合にはＣＣＣ２００による管理が行われないため、基地局１００（＃Ａ、＃Ｂ）と基地局１００（＃Ｃ）との間でＰＣＩ（ここでは１０１）が重複し基地局相互が競合してしまう可能性がある。この様なＰＣＩの重複を避ける方法として、ＣＧＩ（Ｃｅｌｌ  Ｇｌｏｂａｌ  Ｉｄｅｎｔｉｔｙ）を用いる方法が有るが、ＣＧＩデータの収集など管理情報の取得が必要であり、また端末でＣＧＩ情報を取得出来ない場合には有効で無い問題があった（例えば、特許文献１。）。
【先行技術文献】
【特許文献】
【０００９】
【特許文献１】特開２０１１−１０１４８号公報
【発明の概要】
【発明が解決しようとする課題】
【００１０】
従来、ＣＣＣ管理外のエリアに新しい基地局が追加された場合、ＣＣＣによる管理が出来ないため、複数の基地局の間でＰＣＩが重複し基地局相互が競合してしまう可能性がある問題があった。
【００１１】
本発明が解決しようとする課題は、集約管理装置の管理エリア外の基地局と自管理下にある基地局との間でＰＣＩ重複が発生した場合、ＰＣＩ重複を回避することができる無線通信システム、および、そのＰＣＩ設定方法を提供することである。
【課題を解決するための手段】
【００１２】
上記目的を達成するために、本実施形態の無線通信システムは、集約管理装置が、携帯電話システムの基地局が端末との間の無線通信で用いるＰＣＩ番号を含む動作パラメータを記憶した基地局パラメータテーブルを備え、かつ、前記基地局が通信相手となる前記端末から送信された通信品質情報を通信網で接続された複数の前記基地局を介して収集し、収集した情報と前記基地局パラメータテーブルとを参照することにより各前記基地局の動作パラメータを制御する無線通信システムにおいて、前記端末と通信し、集約管理装置へ自局の識別情報とＣＱＩ情報を含む前記通信品質情報とを前記通信網を介して通知する基地局と、前記基地局から受信する前記通信品質情報のうちＣＱＩ情報を基地局制御手段へ通知する制御情報受信手段と、前記各基地局の固有の識別情報とそれに対応して割り当てられる運用ＰＣＩと、前記各基地局の運用候補ＰＣＩとのリストを前記基地局パラメータテーブルに記憶する記憶手段と、前記通知されたＣＱＩの平均値を基地局毎に算出し、その平均値が予め定めた基準値よりも低くなった基地局について、前記リストを参照して当該基地局の新たな運用ＰＣＩを前記運用候補のＰＣＩから探し出し、新たな運用ＰＣＩを前記通信網を介して当該基地局に通知して新たな運用ＰＣＩで前記端末と通信できる様にＰＣＩ変更の制御をする基地局制御手段とを備えた集約管理装置とを具備することを特徴とする。
【００１３】
また本実施形態の集約管理装置は、集約管理装置が、携帯電話システムの基地局が端末との間の無線通信に用いるＰＣＩ番号を含む動作パラメータを記憶した基地局パラメータテーブルを備え、かつ、前記基地局が通信相手となる前記端末から送信された通信品質情報を通信網で接続された複数の前記基地局を介して収集し、前記収集した情報と前記基地局パラメータテーブルとを参照することにより各前記基地局の動作パラメータを制御する無線通信システムの集約管理装置において、前記基地局から受信する前記通信品質情報の内のＣＱＩ情報を基地局制御手段へ通知する制御情報受信手段と、前記各基地局の固有の識別情報とそれに対応して割り当てられる運用ＰＣＩと、前記各基地局の運用候補ＰＣＩとのリストを前記基地局パラメータテーブルに記憶する記憶手段と、前記通知されたＣＱＩの平均値を基地局毎に算出し、その平均値が予め定めた基準値よりも低くなった基地局について、前記リストを参照して当該基地局の新たな運用ＰＣＩを前記運用候補のＰＣＩから探し出し、新たな運用ＰＣＩを前記通信網を介して当該基地局に通知してＰＣＩ変更の制御をする基地局制御手段とを備えたことを特徴とする。
【００１４】
さらに本実施形態の無線通信システムの集約管理装置のＰＣＩ設定方法は、制御情報受信手段と、記憶手段と、基地局制御手段とを備えた集約管理装置が、携帯電話システムの基地局が端末との間の無線通信に用いるＰＣＩ番号を含む動作パラメータを記憶した基地局パラメータテーブルを備え、かつ、前記基地局が通信相手となる前記端末から送信された通信品質情報を通信網で接続された複数の前記基地局を介して収集し、前記収集した情報と前記基地局パラメータテーブルとを参照することにより各前記基地局の動作パラメータを制御する無線通信システムの集約管理装置のＰＣＩ設定方法において、前記制御情報受信手段は、前記基地局から受信する前記通信品質情報の内のＣＱＩ情報を前記基地局制御手段へ通知し、前記記憶手段は、前記各基地局の固有の識別情報とそれに対応して割り当てられる運用ＰＣＩと、前記各基地局の運用候補ＰＣＩとのリストを前記基地局パラメータテーブルにして記憶し、前記基地局制御手段は、前記通知されたＣＱＩの平均値を前記基地局毎に算出し、その平均値が予め定めた基準値よりも低くなった基地局について、前記リストを参照して当該基地局の新たな運用ＰＣＩを前記運用候補のＰＣＩから探し出し、新たな運用ＰＣＩを前記通信網を介して当該基地局に通知してＰＣＩ変更の制御をすることを特徴とする。
【図面の簡単な説明】
【００１５】
【図１】本実施形態に係わる無線通信システムの動作を説明する機能ブロック図である。
【図２】ＣＣＣ２の構成の一例を示す構成図である。
【図３】本実施形態におけるＣＣＣ２のＰＣＩ設定方法を説明するフローチャートである。
【図４】基地局パラメータテーブルの１例である。
【図５】端末通信状態記憶テーブルの１例である。
【図６】従来のＣＣＣを用いたＰＣＩ設定方法の概念を説明する無線システムの構成図である。
【発明を実施するための形態】
【００１６】
以下実施形態の無線通信システムを図面を参照して説明する。
【００１７】
図１は、本実施形態に係わる無線通信システムの動作を説明する機能ブロック図である。  
図１において、本実施形態の無線通信システムは、ＣＣＣ（集約管理装置）２の管理エリアＳである屋内に存在し、３ＧＰＰ（３rd Generation Partnership Project）システム等の携帯電話システムで用いられる端末５と、それらの端末５と通信するための複数の基地局１０（＃１〜＃ｎ）と、ＣＣＣ（集約管理装置）２と、基地局１０とＣＣＣ２との間で制御モニタ信号を伝送する制御情報網３１とを備えている。なお、端末５は、管理エリア内に複数存在するが、ここでは説明の都合上、ある基地局１０と通信中の１台で代表して説明する。
【００１８】
基地局１０は、携帯電話網の音声、データ信号、呼接続制御信号等を扱う音声・データ系統に接続されると共に、制御情報網３１によってＣＣＣ２に接続されている。ＣＣＣ２は、携帯電話システムで使用する無線リソースの管理を行う装置であって管理エリアＳ内にある基地局１０（＃１）〜基地局１０（＃ｎ）を対象とする。
【００１９】
また、管理エリアＳを外れた屋外に基地局１００が存在し、その送信電波は、管理エリアＳの端末５で受信可能な状態にある。
【００２０】
図１において、ＣＣＣ２は、端末５からアップリンク信号で送信された各基地局１０とのＣＱＩ（後述）を始めとする無線通信品質に係わるレポート（情報）や各基地局１０の動作パラメータ等の基地局情報を受信する基地局情報受信部２２、レポートや受信情報等を記憶するメモリ部２０、レポートをメモリ２０から読み出してＰＣＩ競合の有無を判定するＰＣＩ競合判定部２２２、判定情報や基地局のパラメータ等から基地局１０の動作制御情報を生成する基地局制御部２３、およびＰＣＩや出力等の制御情報を制御情報網３１を介して基地局１０へ送信する制御情報送信部２１とを備えている。
【００２１】
図２は、ＣＣＣ２の構成の一例を示す構成図である。  
図２において、ＣＣＣ２と制御情報網３１との間は、ＴＣＰインタフェース部３２で信号を入出力する。ＴＣＰインタフェース部３２は、データバスＤＢを介してデータをＣＣＣ２のメモリ部２０始め内部の機能構成部分と入出力する専用論理回路である。
【００２２】
データバスＤＢは、ＴＣＰインタフェース部３２と、制御情報送信部２１と、基地局情報受信部２２と、メモリ２０と、制御処理部（ＣＰＵ）２５とのそれぞれの間を接続している。
【００２３】
制御処理部２５は、データバスＤＢで伝送されるデータを監視、制御して図１における基地局制御部（プログラム）２３とＰＣＩ競合判定部（プログラム）２２２の機能を実行する制御を行う。
【００２４】
制御情報送信部２１と、基地局情報受信部２２とは、制御処理部２５の制御に従ってＴＣＰインタフェース部３２との間でバッファ機能および所定の基本処理手順を行うファームウェア又は、論理回路で構成される。
【００２５】
図１に戻り、基地局情報受信部２２は、基地局１０から受信した基地局受信情報を３ＧＰＰ仕様で指定される通信品質情報ＣＱＩ（Channel Quality Indicator）と基地局パラメータとの情報に分ける。そして周波数チャネル、変調パラメータ等の基地局動作に係わる基地局パラメータ情報を基地局パラメータ記録部２０３に書き込み記録する。基地局パラメータ記録部２０３は各基地局１０（＃１〜＃ｎ）の基地局パラメータを取得し、ＰＣＩ、隣接する基地局の関係をリストにして基地局パラメータテーブル２０４に保存する。
【００２６】
また、基地局情報受信部２２は、図示しない内部時計（タイマ）を参照して、例えば、１分間各毎に分離したＣＱＩ情報をＣＱＩ記録部２０１に書き込み記録する。ＣＱＩ記録部２０１は、各基地局１０のＣＱＩを取得し、接続している端末数、各基地局１０のそれぞれにおけるＣＱＩ平均値を端末通信状態記憶テーブル２０２にリストにして保存する。また、ＣＱＩ記録部２０１は各基地局１０でＣＱＩが予め定めた規定値未満になった場合、その規定値未満が継続された時間についても端末通信状態記憶テーブル２０２に保存する。
【００２７】
端末通信状態記憶テーブル２０２の内容は、ＰＣＩ競合判定部２２２によって読み出される。
【００２８】
ここで図６に戻って屋内に設置された基地局のＰＣＩ競合について説明する。従来の無線通信システムでは、ＣＣＣ２００が管理下にある各基地局１００（＃Ａ）、（＃Ｂ）のＰＣＩを調べ、例えば「１０１」が重複使用された場合、一方の基地局１００（＃Ｂ）に対してＰＣＩを「１０１」から「１０２」へ変更させる制御を行う。
【００２９】
このＰＣＩは、ＣＣＣ２００が、管理下の基地局１００の設置位置を予めマッピングしたデータを記憶し、隣接局ではＰＣＩが重複しない様にして干渉発生を防ぐ管理がされる。
【００３０】
また、ハンドオーバ処理等のために端末５と基地局１００との間の通信レポート、即ち基地局制御情報（パラメータ）にはＰＣＩ情報が含まれる。従って、同一端末５が自分の管理下にある２つの基地局１００との間でリンクを確立している時には、ＣＣＣ２００は基地局パラメータのＰＣＩを判読することにより重複、競合を検出することが出来る。
【００３１】
しかし、端末５が存在する屋内へ外部のＰＣＩ「１０１」で運用される基地局１００(＃Ｃ)（例えば、隣ビル、またはマクロセルの基地局）からの電波が到達すると、端末５は、その基地局１００（＃Ｃ）とも送受信可能になるとＰＣＩの競合が発生し通信品質ＣＱＩが低下する。しかしＣＣＣ２００は、ＰＣＩが同じ場合、基地局１００（＃Ｂ）のその低下の原因がＰＣＩ競合によるものか、その他の原因によるものなのかは、判別できず、対策が取れなかった。
【００３２】
本実施形態では、通信品質が低下した場合、ＰＣＩを変更してその後の通信品質ＣＱＩを監視し、改善効果が有ればＰＣＩ競合が有ったと判定して外部基地局とのＰＣＩ重複に起因する干渉を回避している。
【００３３】
さて、３ＧＰＰの機器仕様３ＧＰＰ  ＴＳ２５．２１４では、端末５は、ＨＳ−ＤＰＣＣＨのアップリンクチャネルＣＱＩフィールドを用いてチャネル条件を基地局１０へ通知することが規定されている。ＣＱＩ（Channel Quality Indicator）は、値が０−３０までの範囲であって３０が最良の条件である。端末５は、現在のリンク条件で許容範囲内のブロック誤り率（ＢＬＥＲ）を実現可能な最大のＣＱＩ値を通知する。
【００３４】
見方を変えれば、ＣＣＣ２は、端末５から各基地局１０を経由して受信したＣＱＩが３０の値であれば干渉などの影響が当該基地局と当該端末には無いので「基地局同士は競合しておらず、ＰＣＩは重複していない状態にある。」との判定をする。
【００３５】
反対に、ＣＱＩが３０よりも低下した場合には、競合の可能性ありと判定する。続いて、ＣＱＩが低下した基地局１０のＰＣＩを変更し、ＣＱＩが改善する場合は、ＰＣＩ競合が発生していると判定する。そして変更したＰＣＩで運用をすることにより基地局１０におけるＰＣＩ競合を回避することが可能である。
【００３６】
図３は、本実施形態におけるＣＣＣ２のＰＣＩ設定方法を説明するフローチャート、図４は、基地局パラメータテーブル２０４の例、図５は、端末通信状態記憶テーブル２０２の例である。  
以下、図１と図３、図４、図５を参照し、実施形態の無線通信システムの動作とＰＣＩ設定方法を説明する。
【００３７】
基地局情報受信部２２は、ＴＣＰインタフェース３１を介して基地局１０からの制御モニタ情報を受信し、ＣＱＩ以外の所定のデータを基地局パラメータ記録部２０３に書き込む。基地局パラメータ記録部２０３は、基地局の動作状態に係わる情報、パラメータについて図４の形式の基地局パラメータテーブル２０４として基地局１０毎にリストしたテーブルにしてメモリ２０に書き込み記憶する。
【００３８】
また、ＣＱＩ情報はＣＱＩ記録部２０１に書き込まれ、そこで基地局１０毎にＣＱＩ平均値を算出される（図３のステップＳ１）。平均値を算出するタイミングは、基地局制御部２３が内部時計（図示せず）を参照して、例えば、５分間隔で実施する。
【００３９】
そして、更に図５の様に整理されて端末状態記憶テーブル２０２に書き込まれ記憶される。ＰＣＩ競合判定部２２２は、メモリ２０の端末通信状態記憶テーブル２０２を読み出して、基地局１０のＣＱＩの平均値が３０以上で有れば（ステップｓ２がＮｏの場合）、図５の基地局１０（＃２），（＃３）のように「ＣＱＩ平均値３０未満の継続時間」の欄が０分にリセットされる。また、３０未満の場合（ステップｓ２がＹｅｓ）、更にその３０未満の継続時間を調べ、３時間未満である場合（ステップｓ４がＮｏ）、継続時間を更新する（ステップｓ５）。図５では、「＃ｎ」の基地局１０について継続時間３０分と更新されている。
【００４０】
一方、３時間以上に亘って平均値が３０に達していない場合（ステップｓ４がＹｅｓ）、常態的な干渉が発生している可能性がある、即ち、ＰＣＩ競合がある可能性があると判断してＰＣＩ競合判定部２２２は、当該基地局１０に対してＰＣＩ競合の確認と対策とを実施するために、継続時間を一旦リセットして０にする（ステップｓ６）。
【００４１】
ＰＣＩ競合判定部２２２は端末通信状態記憶テーブル２０２の情報を参照して、ＰＣＩ競合が発生している可能性があると判断した場合にＰＣＩ競合判定部２２２は基地局制御部２３に対して競合が発生していると思われる基地局の情報を通知する。
【００４２】
次にＰＣＩ競合判定部２２２は、このＣＱＩ平均値が３０を超えていない時間が３時間以上継続する基地局１０の現在のＣＱＩ平均値を「ＰＣＩ変更前平均値」として記憶する（ステップｓ７）。
【００４３】
以上のステップｓ１〜ステップｓ７は競合検出の処理手順に相当する。
【００４４】
基地局制御部２３はＰＣＩ競合判定部２２２からＰＣＩ競合がある可能性ありとの通知を受けると、基地局パラメータの変更を行うために、競合していると推定された基地局１０について、基地局パラメータテーブル２０４から該当基地局のＰＣＩ、隣接基地局、割当て可能ＰＣＩの情報を取得する。
【００４５】
そして、基地局制御部２３は取得した情報から、ＣＣＣ２が管理する他の基地局に影響を出ないように基地局パラメータの選択を行って、基地局指示部２１へと変更を行う基地局と設定するパラメータを通知し、対象となる基地局１０へ制御信号を送信する。また、基地局制御部２３は基地局の隣接関係や、過去のＰＣＩ割当て状況から基地局パラメータテーブル２０４の基地局毎の割当て可能ＰＣＩを更新する。
【００４６】
詳細に説明すると、基地局１０に接続している端末５がある場合、接続中の基地局１０のＰＣＩを変更すると端末５の通信が切断されてしまう。これを防ぐため、ＰＣＩ競合の可能性が通知された基地局１０に接続している端末数が1つ以上あるかどうかを確認する。そして、基地局１０に接続する端末がない場合は即座にＰＣＩ変更処理を実施する。
【００４７】
即ち、基地局制御部２３は、端末通信状態記憶テーブル２０２を参照し、当該基地局１０（＃１）を介して通信中の端末５の有無を調べる。ここでは、当該基地局１０（＃１）が、通知されたタイミングでは端末５と通信しておらず、ＣＱＩ３０未満の時間が３時間以上継続しているとする。
【００４８】
図５の端末状態記憶テーブル２０２で、基地局１０（＃１）の様に無い場合（ステップｓ８がＮｏ）、図４の基地局パラメータテーブル２０４を参照して、割当可能ＰＣＩを当該基地局１０のＰＣＩを探し出して、ＰＣＩを１０１から新しいＰＣＩ１０５に変更する（ステップｓ１０）。
【００４９】
一方、基地局１０に接続する端末がある場合は、当該基地局１０と通信する端末５を他の基地局１０と通信するように切り替えてからＰＣＩ変更処理を実施する。
【００５０】
即ち、当該基地局１０（＃ｎ）では、ＣＱＩ３０未満の時間が３時間以上継続し、通信中の端末５があるとする（ステップｓ８がＹｅｓ）。この場合、基地局制御部２３は、基地局パラメータテーブル２０４を参照して、隣接する基地局１０（＃３）を探し出す。そして、基地局１０（＃３）の送信出力を上げる。基地局１０（＃ｎ）を介して通信中の端末５を、隣接する通信品質が自分よりも良い基地局１０（＃３）へハンドオーバさせて移す制御を行う（ステップｓ９）。
【００５１】
そして、ハンドオーバ終了後、基地局パラメータテーブル２０４を参照して基地局１０（＃ｎ）のＰＣＩを１０４から１０６に変更する。この場合、基地局１０（＃ｎ）に割り当てるＰＣＩは、隣接基地局１０（＃３）が使用して居ないＰＣＩを選択する（ステップｓ１０）。
【００５２】
基地局のＰＣＩを変更後、通信環境の変化を確認するために、５分毎に３回のＣＱＩを収集し、さらにその平均値を再計算した値を変更後のＣＱＩ平均値とする（ステップｓ１１）。
【００５３】
この変更後のＣＱＩ平均値が保存していた変更前の「ＰＣＩ変更前平均値」よりも高い（改善された）場合（ステップｓ１２がＹｅｓ）はＰＣＩの競合が解消され、通信環境が良くなったと判断できるのでそのＰＣＩで（基地局１０（＃１）を１０５、基地局１０（＃ｎ）を１０６）運用を継続する（ステップｓ１２）。
【００５４】
反対に変更後のＣＱＩ平均値が変更前のＣＱＩ平均値よりも低くなっている場合（ステップｓ１２がＮｏ）は、通信環境が悪くなっている原因はＰＣＩ競合によるものではないと判断して、変更前のＰＣＩ（基地局１０（＃１）を１０１、基地局１０（＃ｎ）を１０４）に戻す処理を行う（ステップｓ１３）。
【００５５】
併せて変更を行ったＰＣＩは変更前よりも望ましくないことが判明したため、基地局制御部２２１は基地局パラメータテーブル２３２の当該基地局に関する割当て可能ＰＣＩ番号から、一旦変更先になったＰＣＩ番号、即ち基地局１０（＃１）のＰＣＩ「１０５」、基地局１０（＃ｎ）のＰＣＩ「１０６」を削除する（ステップｓ１４）。
【００５６】
以上のステップｓ７〜ステップｓ１４は、ＰＣＩの変更処理に係わる手順である。
【００５７】
この様に本実施形態においては、格別な回路や装置、通信手順を新たに設けることなく、基地局と通信している端末とのＣＱＩの測定データを元にＣＣＣの管理エリア外の基地局からの到達電波の影響を避けることが出来る。
【００５８】
上記の説明でステップｓ１〜ステップｓ６に適用されるＣＱＩ平均値３０は一例であって、３０は、ＣＱＩ規定の最良の測定値であって殆ど干渉が無く、端末での受信電力が十分である状況である理想通信状態である。
【００５９】
そのためＰＣＩに起因する干渉発生等があれば劣化検出感度を高く取ることが出来る。一方、ＰＣＩだけでなく電力レベルや、マルチパス反射等の影響が在るとＣＱＩは、３０に達しない可能性も高い。そこで、例えば、判定値を２５の様に３０以下の一定の値に下げることによって、外来のＰＣＩに起因しない通信品質劣化に対しての影響を小さくしてＰＣＩの変更を抑えてシステム安定度を高めることも可能である。
【００６０】
また、ＣＱＩの判定値については、端末受信状態記録テーブル２０２の記憶データを統計的に処理して、当該基地局１０の平均値（例えば２４）から、一定の割合（例えば、約２０％）劣化した値の２０を判定（閾）値にしても良い。こうすることにより、基地局毎の設置場所などによる特性の差を判定基準に反映することが出来る。
【００６１】
以上述べた少なくともひとつの実施形態の無線通信システムによれば、端末と基地局との間のＣＱＩの劣化を測定し、その変化からＰＣＩ競合を検出することにより、外部の基地局の影響のないＰＣＩに変更することが可能となる。
【００６２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６３】
１０  基地局
２  ＣＣＣ（集約管理装置：Cell Cluster Controller）
２１  制御情報送信部
２２  基地局情報受信部
２２２  ＰＣＩ競合判定部
２３  基地局制御部
２５  制御処理部
２０  メモリ部
２０１  ＣＱＩ記録部
２０２  端末通信状態記憶部
２０３  基地局パラメータ受信部
２０４  基地局パラメータテーブル
３１  制御情報網
３２  ＴＣＰインタフェース
５  端末
【図１】
2014082604.tif 000003
【図２】
2014082604.tif 000004
【図３】
2014082604.tif 000005
【図４】
2014082604.tif 000006
【図５】
2014082604.tif 000007
【図６】
2014082604.tif 000008